(57)【要約】【課題】表示品位が良好な液晶表示装置を提供する。【解決手段】液晶表示装置は、映像表示領域と黒色表示領域とに渡ってマトリックス状に設けられた複数の赤色画素と緑色画素と青色画素と、映像表示領域に設けられた赤色画素、緑色画素および青色画素に映像表示駆動電圧を印加する映像表示駆動器と、黒色表示領域に設けられた赤色画素、緑色画素および青色画素に黒色表示駆動電圧を印加する黒色表示駆動器とを具備しており、黒色表示駆動器は、黒色表示領域に設けられた赤色画素、緑色画素および青色画素のうちの少なくとも２つへ黒色表示駆動電圧を同時に印加する。【選択図】　図１
2004102081.tif 000002
【特許請求の範囲】
【請求項１】
映像を表示するための映像表示領域と黒色を表示するために前記映像表示領域を垂直方向から挟むように配置された黒色表示領域とに渡ってマトリックス状に設けられた複数の赤色画素と、
それぞれが各赤色画素に対して水平方向に沿って隣接するようにマトリックス状に設けられた複数の緑色画素と、
それぞれが各緑色画素を挟んで各赤色画素と対向するようにマトリックス状に設けられた複数の青色画素と、
前記映像を表示するための映像信号に基づいて、前記映像表示領域に設けられた前記赤色画素、前記緑色画素および前記青色画素に映像表示駆動電圧を印加するために設けられた映像表示駆動器と、
前記映像信号に基づいて、前記黒色表示領域に設けられた前記赤色画素、前記緑色画素および前記青色画素に、前記黒色を表示するための黒色表示駆動電圧を印加するために設けられた黒色表示駆動器とを具備しており、
前記黒色表示駆動器は、前記黒色表示領域に設けられた前記赤色画素、前記緑色画素および前記青色画素のうちの少なくとも２つへ前記黒色表示駆動電圧を同時に印加することを特徴とする液晶表示装置。
【請求項２】
前記黒色表示駆動器は、前記黒色表示領域に設けられた前記赤色画素と前記青色画素とへ前記黒色表示駆動電圧を同時に印加する、請求項１記載の液晶表示装置。
【請求項３】
前記赤色画素と前記青色画素とは、実質的に同一の電圧特性を有している、請求項１記載の液晶表示装置。
【請求項４】
前記映像表示駆動器は、所定の映像表示期間において前記映像表示駆動電圧を印加し、
前記黒色表示駆動器は、前記映像表示期間に後続する黒色表示期間において前記黒色表示駆動電圧を印加する、請求項１記載の液晶表示装置。
【請求項５】
前記映像信号の特性に応じて、前記映像表示駆動器が前記映像表示駆動電圧を印加する前記映像表示期間の長さと、前記黒色表示駆動器が前記黒色表示駆動電圧を印加する前記黒色表示期間の長さとを切り替える切替器をさらに具備する、請求項４記載の液晶表示装置。
【請求項６】
前記映像信号に含まれる垂直同期信号に基づいて、前記映像の１フレームに含まれる垂直ブランキングライン数を検出する垂直ブランキングライン数検出器と、
前記映像信号に含まれる水平同期信号に基づいて、前記水平同期信号の周期を検出する水平同期信号周期検出器と、
前記垂直同期信号に基づいて、前記映像の１フレームに含まれる映像有効ライン数を検出する映像有効ライン数検出器とをさらに具備しており、
前記切替器は、前記垂直ブランキングライン数検出器によって検出された前記垂直ブランキングライン数と前記水平同期信号周期検出器によって検出された前記水平同期信号の周期と前記映像有効ライン数検出器によって検出された前記映像有効ライン数とに基づいて前記映像表示期間の長さと前記黒色表示期間の長さとを切り替える、請求項５記載の液晶表示装置。
【請求項７】
前記黒色表示駆動器は、前記赤色画素、前記緑色画素および前記青色画素のうちの少なくとも２つへ前記黒色表示駆動電圧を複数ラインごとに同時に印加する、請求項１記載の液晶表示装置。
【請求項８】
映像を表示するための映像表示領域と黒色を表示するために前記映像表示領域を垂直方向から挟むように配置された黒色表示領域とに渡ってマトリックス状に設けられた複数の赤色画素と、
それぞれが各赤色画素に対して水平方向に沿って隣接するようにマトリックス状に設けられた複数の緑色画素と、
それぞれが各緑色画素を挟んで各赤色画素と対向するようにマトリックス状に設けられた複数の青色画素とに駆動電圧を印加するための液晶表示装置の駆動方法であって、
前記映像を表示するための映像信号に基づいて、前記映像表示領域に設けられた前記赤色画素、前記緑色画素および前記青色画素に映像表示駆動電圧を印加するための映像表示駆動工程と、
前記映像信号に基づいて、前記黒色表示領域に設けられた前記赤色画素、前記緑色画素および前記青色画素に、前記黒色を表示するための黒色表示駆動電圧を印加するための黒色表示駆動工程とを包含しており、
前記黒色表示駆動工程は、前記黒色表示領域に設けられた前記赤色画素、前記緑色画素および前記青色画素のうちの少なくとも２つへ前記黒色表示駆動電圧を同時に印加することを特徴とする液晶表示装置の駆動方法。
【発明の詳細な説明】
【０００１】
【発明の属する技術分野】
本発明は、映像表示領域に映像を表示し、映像表示領域を垂直方向から挟むように配置された黒色表示領域に黒色を表示する液晶表示装置およびその駆動方法に関する。
【０００２】
【従来の技術】
映画等の映像を液晶表示装置に表示するときは、液晶表示装置に設けられた液晶パネルに配置された映像表示領域に映像を表示し、映像表示領域を垂直方向から挟むように配置された黒色表示領域に黒色を表示する。
【０００３】
図４は、従来の液晶表示装置９０の構成を示すブロック図である。液晶表示装置９０は、液晶パネル１７を備えている。液晶パネル１７には、略マトリックス状に設けられた複数の赤色画素５と、それぞれが各赤色画素５に対して水平方向に沿って隣接するように略マトリックス状に設けられた複数の緑色画素６と、それぞれが各緑色画素６を挟んで各赤色画素５と対向するように略マトリックス状に設けられた複数の青色画素７とが設けられている。各赤色画素５、緑色画素６および青色画素７は、アモルファスシリコンによって構成されている。
【０００４】
液晶表示装置９０には、映像信号処理器２１が設けられている。映像信号処理器２１は、映像信号に基づいて、例えば諧調特性を変更するガンマ補正処理等を行い、映像駆動電圧を生成してソースドライバ１９へ供給する。
【０００５】
図５は、液晶表示装置９０に入力される映像信号を説明するための波形図である。一般的に映像信号処理においては、映像信号３３の他に、水平同期信号（Ｈｓｙｎｃ）３１と、垂直同期信号（Ｖｓｙｎｃ）２４と、水平同期信号（Ｈｓｙｎｃ）３１および垂直同期信号（Ｖｓｙｎｃ）２４を複合したデータイネーブル信号（ＤＥ）３２と呼ばれる同期信号と、映像信号３３の１画素を示すクロック３４とを取り扱うことによって、例えば、液晶モジュールを駆動する駆動方式に応じたタイミングを制御するための制御信号を生成する。標準的なＶＧＡ信号の場合、例えば、水平同期信号（Ｈｓｙｎｃ）３１は８００クロックとなっており、垂直同期信号（Ｖｓｙｎｃ）２４は５２５ラインとなっており、クロック３４は２５ＭＨｚとなっている。液晶表示装置においては、このような水平同期信号（Ｈｓｙｎｃ）３１と垂直同期信号（Ｖｓｙｎｃ）２４とデータイネーブル信号（ＤＥ）３２とクロック３４とに基づいて映像信号を処理し、液晶パネル１７を駆動するためのタイミングを制御する制御信号を生成する。
【０００６】
液晶表示装置９０は、液晶駆動制御器２０を備えている。液晶駆動制御器２０は、前述した各種同期信号に基づいて、ゲートドライバ制御信号を生成してゲートドライバ１８へ出力し、ソースドライバ制御信号を生成してソースドライバ１９へ出力する。
【０００７】
ゲートドライバ１８は、液晶駆動制御器２０から出力されたゲートドライバ制御信号に基づいて、赤色画素５、緑色画素６および青色画素７を各行ごとに駆動する。ソースドライバ１９は、映像信号処理器２１から出力された映像駆動電圧と液晶駆動制御器２０から出力されたソースドライバ制御信号とに基づいて、赤色画素５、緑色画素６および青色画素７に、映像を表示するための映像駆動電圧を印加する。
【０００８】
図６（ａ）は従来の液晶表示装置９０によって表示される映像を説明するための図であり、図６（ｂ）は従来の液晶表示装置９０によって表示される他の映像を説明するための図である。図６（ａ）に示す表示領域２２には、液晶パネル１７に設けられた各画素によって表示され得る垂直ライン数をすべて使用して映像を表示した一般的な表示の態様が示されている。
【０００９】
図６（ｂ）に示す表示領域２２には、例えば映画を表示する場合のように、液晶パネル１７に設けられた各画素によって表示され得る垂直ライン数の一部を使用して表示された映像の態様が示されている。映像表示領域には映像が表示されており、映像表示領域を垂直方向から挟むように配置された黒色表示領域には黒色が黒い帯のように表示されている。
【００１０】
図７は、従来の他の液晶表示装置８０の構成を示すブロック図である。図６を参照して前述した従来の液晶表示装置９０の構成要素と同一の構成要素には同一の参照符号を付している。従って、これらの構成要素の詳細な説明は省略する。
液晶表示装置８０は、液晶パネル１７を備えている。液晶パネル１７には、略マトリックス状に設けられた複数の赤色画素５と、それぞれが各赤色画素５に対して水平方向に沿って隣接するようにマトリックス状に設けられた複数の緑色画素６と、それぞれが各緑色画素６を挟んで各赤色画素５と対向するようにマトリックス状に設けられた複数の青色画素７とが設けられている。赤色画素５、緑色画素６および青色画素７は、いずれも低温ポリシリコン（ＬＴＰ）によって構成されている。
【００１１】
液晶表示装置８０には、マルチプレクサ３５が設けられている。マルチプレクサ３５は、スイッチと等価である。ソースドライバ１９の一つのチャンネルと複数のソース線との間にマルチプレクサ３５は配置されている。マルチプレクサ３５は、各ソース線にそれぞれ接続されたスイッチの接続／開放を制御することによって、ソースドライバ１９の一つのチャンネルを複数のソース線データとして使用する。
【００１２】
図４を参照して前述した液晶表示装置９０および図７を参照して前述した液晶表示装置８０が、図６（ｂ）に示す映像を表示する動作を説明する。図８（ａ）は従来の液晶表示装置の映像表示動作タイミングを説明するための図であり、図８（ｂ）は従来の液晶表示装置の他の映像表示動作タイミングを説明するための図である。
【００１３】
図８（ａ）を参照すると、映像を表示するためのライン数が４８０ラインである液晶パネルが設けられた液晶表示装置へ垂直同期信号２４に後続して入力される入力信号タイミング２５において、１フレームにおける総ライン数５２５ラインのうち、映像期間における映像有効ライン数は４８０ラインであり、垂直ブランキング期間におけるブランキングライン数は４５ラインである。この場合、表示することのできるライン数が４８０ラインである液晶パネルに４８０ラインの映像信号をそのまま表示することができる。
【００１４】
映像を表示するためのライン数が４８０ラインである液晶パネルが設けられた液晶表示装置へ入力される入力信号タイミング２６においては、１フレームにおける総ライン数５２５ラインのうち、映像期間における映像有効ライン数は４００ラインであり、垂直ブランキング期間におけるブランキングライン数は１２５ラインである。映像有効ライン数が４００ラインであるから、液晶パネルの４８０ラインに対して８０ラインが不足する。
【００１５】
垂直ブランキング期間におけるブランキングライン数１２５ラインは、不足する８０ラインよりも多い。このため、垂直ブランキング期間におけるブランキングライン数１２５ラインのうちの８０ラインにおいて黒色を表示することができる。このように、入力信号タイミング２６における垂直ブランキング期間は、不足するラインを表示する余裕がある。
【００１６】
図９は、従来の液晶表示装置のさらに他の動作タイミングを説明するための図である。映像を表示するためのライン数が４８０ラインである液晶パネルが設けられた液晶表示装置へ垂直同期信号２４に後続して入力される入力信号タイミング２７において、１フレームにおける総ライン数４５０ラインである。１フレームにおける総ライン数は４５０ラインのうち、映像期間における映像有効ライン数は４００ラインであり、垂直ブランキング期間におけるブランキングライン数は５０ラインである。映像有効ライン数が４００ラインであるから、液晶パネルの４８０ラインに対して８０ラインが不足する。
【００１７】
垂直ブランキング期間におけるブランキングライン数５０ラインは、不足する８０ラインよりも少ない。従って、不足する８０ライン分の黒色を表示するための時間が不足する。このため、表示タイミング３０に示すように、映像表示領域の上側に配置された黒色表示領域と映像表示領域の下側に配置された黒色表示領域とにおいて同時に黒色を表示する。このように上側に配置された黒色表示領域と映像表示領域の下側に配置された黒色表示領域とにおいて同時に黒色を表示すると、黒色を表示するための時間を短縮することができる。
【００１８】
【特許文献１】
特開平９−９１８０号公報
【００１９】
【発明が解決しようとする課題】
前述した図９においては、垂直ブランキング期間におけるブランキングライン数が５０ラインである例を説明したが、垂直ブランキング期間におけるブランキングライン数が５０ラインよりも少ない入力信号も入力され得る。
【００２０】
（表示装置ライン数−映像有効ライン数）／２＞ブランキングライン数
垂直ブランキング期間におけるブランキングライン数が上記した式を満足する程度に少なくなると、図９を参照して前述したように映像表示領域の上側に配置された黒色表示領域と映像表示領域の下側に配置された黒色表示領域とにおいて同時に黒色を表示したとしても、垂直ブランキング期間の間に黒色を表示することができないという問題がある。
【００２１】
本発明は係る問題を解決するためになされたものであり、その目的は、表示品位が良好な液晶表示装置を提供することにある。
【００２２】
【課題を解決するための手段】
本発明に係る液晶表示装置は、映像を表示するための映像表示領域と黒色を表示するために前記映像表示領域を垂直方向から挟むように配置された黒色表示領域とに渡ってマトリックス状に設けられた複数の赤色画素と、それぞれが各赤色画素に対して水平方向に沿って隣接するようにマトリックス状に設けられた複数の緑色画素と、それぞれが各緑色画素を挟んで各赤色画素と対向するようにマトリックス状に設けられた複数の青色画素と、前記映像を表示するための映像信号に基づいて、前記映像表示領域に設けられた前記赤色画素、前記緑色画素および前記青色画素に映像表示駆動電圧を印加するために設けられた映像表示駆動器と、前記映像信号に基づいて、前記黒色表示領域に設けられた前記赤色画素、前記緑色画素および前記青色画素に、前記黒色を表示するための黒色表示駆動電圧を印加するために設けられた黒色表示駆動器とを具備しており、前記黒色表示駆動器は、前記黒色表示領域に設けられた前記赤色画素、前記緑色画素および前記青色画素のうちの少なくとも２つへ前記黒色表示駆動電圧を同時に印加することを特徴とする。
【００２３】
本発明に係る液晶表示装置の駆動方法は、映像を表示するための映像表示領域と黒色を表示するために前記映像表示領域を垂直方向から挟むように配置された黒色表示領域とに渡ってマトリックス状に設けられた複数の赤色画素と、それぞれが各赤色画素に対して水平方向に沿って隣接するようにマトリックス状に設けられた複数の緑色画素と、それぞれが各緑色画素を挟んで各赤色画素と対向するようにマトリックス状に設けられた複数の青色画素とに駆動電圧を印加するための液晶表示装置の駆動方法であって、前記映像を表示するための映像信号に基づいて、前記映像表示領域に設けられた前記赤色画素、前記緑色画素および前記青色画素に映像表示駆動電圧を印加するための映像表示駆動工程と、前記映像信号に基づいて、前記黒色表示領域に設けられた前記赤色画素、前記緑色画素および前記青色画素に、前記黒色を表示するための黒色表示駆動電圧を印加するための黒色表示駆動工程とを包含しており、前記黒色表示駆動工程は、前記黒色表示領域に設けられた前記赤色画素、前記緑色画素および前記青色画素のうちの少なくとも２つへ前記黒色表示駆動電圧を同時に印加することを特徴とする。
【００２４】
【発明の実施の形態】
本実施の形態における液晶表示装置においては、黒色表示領域に設けられた赤色画素、緑色画素および青色画素のうちの少なくとも２つへ黒色表示駆動電圧が同時に印加される。このため、映像の１フレームに含まれる映像有効ライン数が液晶表示装置が表示する表示ライン数よりも少ない映像信号が入力され、黒色表示領域に黒色を表示するための垂直ブランキング期間が短くなった場合であっても、表示品位を損なうことなく黒色表示領域に黒色を表示することができる。その結果、表示品位が良好な液晶表示装置を提供することができる。
【００２５】
前記黒色表示駆動器は、前記黒色表示領域に設けられた前記赤色画素と前記青色画素とへ前記黒色表示駆動電圧を同時に印加することが好ましい。赤色画素と青色画素とは、実質的に同一の電圧特性を有しているからである。
【００２６】
前記映像表示駆動器は、所定の映像表示期間において前記映像表示駆動電圧を印加し、前記黒色表示駆動器は、前記映像表示期間に後続する黒色表示期間において前記黒色表示駆動電圧を印加することが好ましい。
【００２７】
前記映像信号の特性に応じて、前記映像表示駆動器が前記映像表示駆動電圧を印加する前記映像表示期間の長さと、前記黒色表示駆動器が前記黒色表示駆動電圧を印加する前記黒色表示期間の長さとを切り替える切替器をさらに具備することが好ましい。入力される映像信号の映像有効ライン数と液晶表示装置が表示する表示ライン数とに応じて表示品位を損なうことなく黒色表示領域に黒色を表示するためである。
【００２８】
前記映像信号に含まれる垂直同期信号に基づいて、前記映像の１フレームに含まれる垂直ブランキングライン数を検出する垂直ブランキングライン数検出器と、前記映像信号に含まれる水平同期信号に基づいて、前記水平同期信号の周期を検出する水平同期信号周期検出器と、前記垂直同期信号に基づいて、前記映像の１フレームに含まれる映像有効ライン数を検出する映像有効ライン数検出器とをさらに具備しており、前記切替器は、前記垂直ブランキングライン数検出器によって検出された前記垂直ブランキングライン数と前記水平同期信号周期検出器によって検出された前記水平同期信号の周期と前記映像有効ライン数検出器によって検出された前記映像有効ライン数とに基づいて前記映像表示期間の長さと前記黒色表示期間の長さとを切り替えることが好ましい。簡単な構成によって、入力される映像信号の映像有効ライン数と液晶表示装置が表示する表示ライン数とに応じて表示品位を損なうことなく黒色表示領域に黒色を表示することができるからである。
【００２９】
前記黒色表示駆動器は、前記赤色画素、前記緑色画素および前記青色画素のうちの少なくとも２つへ前記黒色表示駆動電圧を複数ラインごとに同時に印加することが好ましい。黒色表示領域に黒色を表示するための垂直ブランキング期間がさらに短くなった場合であっても、表示品位を損なうことなく黒色表示領域に黒色を表示することができるからである。
【００３０】
本実施の形態における液晶表示装置の駆動方法においては、黒色表示領域に設けられた赤色画素、緑色画素および青色画素のうちの少なくとも２つへ黒色表示駆動電圧が同時に印加される。このため、映像の１フレームに含まれる映像有効ライン数が液晶表示装置が表示する表示ライン数よりも少ない映像信号が入力され、黒色表示領域に黒色を表示するための垂直ブランキング期間が短くなった場合であっても、表示品位を損なうことなく黒色表示領域に黒色を表示することができる。その結果、表示品位が良好な液晶表示装置の駆動方法を提供することができる。
【００３１】
以下、図面を参照して本発明の実施の形態を説明する。
【００３２】
図１は本実施の形態に係る液晶表示装置１００の構成を示すブロック図であり、図２は液晶表示装置１００によって表示される映像を説明するための図である。液晶表示装置１００は、液晶パネル１７を備えている。液晶パネル１７には、映像を表示するための映像表示領域４と黒色を表示するために映像表示領域４を垂直方向から挟むように配置された黒色表示領域３とに渡って略マトリックス状に設けられた複数の赤色画素５と、それぞれが各赤色画素５に対して水平方向に沿って隣接するように略マトリックス状に設けられた複数の緑色画素６と、それぞれが各緑色画素６を挟んで各赤色画素５と対向するように略マトリックス状に設けられた複数の青色画素７とが設けられている。赤色画素５と青色画素７とは、実質的に同一の電圧特性を有している。
【００３３】
液晶表示装置１００は、水平同期処理器１３を備えている。水平同期処理器１３は、水平同期信号によってリセットするカウンタを有しており、所定のタイミング信号を生成して、映像表示駆動器２と水平同期信号周期検出器１０とへ出力する。
【００３４】
映像表示駆動器２は、映像信号と水平同期処理器１３から出力されたタイミング信号とに基づいて、映像表示領域４に設けられた赤色画素５、緑色画素６および青色画素７に印加するための映像表示駆動電圧を生成して切替器８へ出力する。
【００３５】
水平同期信号周期検出器１０は、水平同期処理器１３から出力されたタイミング信号に基づいて水平同期信号の周期を検出してライン数演算検出器１２へ出力する。
【００３６】
液晶表示装置１００は、映像有効ライン数検出器１１を備えている。映像有効ライン数検出器１１は、垂直同期信号に基づいて、映像の１フレームに含まれる映像有効ライン数を検出してライン数演算検出器１２へ出力する。
【００３７】
液晶表示装置１００には、垂直ブランキングライン数検出器９が設けられている。垂直ブランキングライン数検出器９は、垂直同期信号に基づいて、映像の１フレームに含まれる垂直ブランキングライン数を検出してライン数演算検出器１２へ出力する。
【００３８】
液晶表示装置１００は、垂直同期処理器１６を備えている。垂直同期処理器１６は、垂直同期信号によってリセットするカウンタを有しており、所定のタイミング信号を生成する。
【００３９】
ライン数演算検出器１２は、垂直ブランキングライン数検出器９によって検出された垂直ブランキングライン数と水平同期信号周期検出器１０によって検出された水平同期信号の周期と映像有効ライン数検出器１１によって検出された映像有効ライン数とに基づいて、有効ライン数以外のライン数を検出して自走水平同期生成器１４および映像期間判別器１５へ出力する。
【００４０】
自走水平同期生成器１４は、水平同期信号によってリセットせず、所定のクロック信号に基づいて動作するカウンタを有しており、クロック信号とライン数演算検出器１２によって検出された有効ライン数以外のライン数とに基づいて、ゲートドライバ１８を駆動するためのタイミング信号を生成して黒色表示駆動器１へ出力する。
【００４１】
黒色表示駆動器１は、自走水平同期生成器１４から出力されたタイミング信号に基づいて、黒色表示領域３に設けられた赤色画素５、緑色画素６および青色画素７に黒色を表示するための黒色表示駆動電圧を生成して切替器８へ出力する。
【００４２】
映像期間判別器１５は、ライン数演算検出器１２から出力された有効ライン数以外のライン数に基づいて、映像表示期間と黒色表示期間とのいずれかを示す判別信号を生成して切替器８へ出力する。
【００４３】
切替器８は、映像期間判別器１５から出力された判別信号が映像表示期間を示している間は、映像表示駆動器２から出力された映像表示駆動電圧を選択して、映像表示領域４に設けられた赤色画素５、緑色画素６および青色画素７にソースドライバ１９およびゲートドライバ１８を介して印加する。映像期間判別器１５から出力された判別信号が映像表示期間を示している間は、切替器８は、黒色表示駆動器１から出力された黒色表示駆動電圧を選択して、黒色表示領域３に設けられた赤色画素５、緑色画素６および青色画素７にソースドライバ１９およびゲートドライバ１８を介して印加する。
【００４４】
図３は、液晶表示装置１００の動作を説明するための波形図である。映像表示駆動器２から出力された映像表示駆動電圧は、映像表示領域４に設けられた赤色画素５、緑色画素６および青色画素７に、この順番に印加される。黒色表示駆動器１から出力された黒色表示駆動電圧は、黒色表示領域３に設けられた赤色画素５と青色画素７とに同時に印加される。その後、黒色表示駆動電圧は緑色画素６に印加される。
【００４５】
なお、黒色表示駆動器１は、赤色画素５、緑色画素６および青色画素７のうちの少なくとも２つへ黒色表示駆動電圧を複数ラインごとに同時に印加するようにしてもよい。
【００４６】
以上のように本実施の形態によれば、黒色表示領域３に設けられた赤色画素５、緑色画素６および青色画素７のうちの少なくとも２つへ黒色表示駆動電圧が同時に印加される。このため、映像の１フレームに含まれる映像有効ライン数が、液晶表示装置が表示する表示ライン数よりも少ない映像信号が入力され、黒色表示領域に黒色を表示するための垂直ブランキング期間が短くなった場合であっても、表示品位を損なうことなく黒色表示領域に黒色を表示することができる。その結果、表示品位が良好な液晶表示装置を提供することができる。
【００４７】
【発明の効果】
以上のように本発明によれば、表示品位が良好な液晶表示装置を提供することができる。
【図面の簡単な説明】
【図１】本実施の形態に係る液晶表示装置の構成を示すブロック図である。
【図２】本実施の形態に係る液晶表示装置によって表示される映像を説明するための図である。
【図３】本実施の形態に係る液晶表示装置の動作を説明するための波形図である。
【図４】従来の液晶表示装置の構成を示すブロック図である。
【図５】従来の液晶表示装置に入力される映像信号を説明するための波形図である。
【図６】（ａ）は従来の液晶表示装置によって表示される映像を説明するための図であり、
（ｂ）は従来の液晶表示装置によって表示される他の映像を説明するための図である。
【図７】従来の他の液晶表示装置の構成を示すブロック図である。
【図８】（ａ）は従来の液晶表示装置の動作タイミングを説明するための図であり、
（ｂ）は従来の液晶表示装置の他の動作タイミングを説明するための図である。
【図９】従来の液晶表示装置のさらに他の動作タイミングを説明するための図である。
【符号の説明】
１　黒色表示駆動器
２　映像表示駆動器
３　黒色表示領域
４　映像表示領域
５　赤色画素
６　緑色画素
７　青色画素
８　切替器
９　垂直ブランキング数検出器
１０　水平同期信号同期検出器
１１　映像有効ライン数検出器
１２　ライン数演算器
１３　水平同期処理器
１４　自走水平同期生成器
１５　映像期間判別器
１６　垂直同期処理器
１７　液晶パネル
１８　ゲートドライバ
１９　ソースドライバ
１００　液晶表示装置
【図１】
2004102081.tif 000003
【図２】
2004102081.tif 000004
【図３】
2004102081.tif 000005
【図４】
2004102081.tif 000006
【図５】
2004102081.tif 000007
【図６】
2004102081.tif 000008
【図７】
2004102081.tif 000009
【図８】
2004102081.tif 000010
【図９】
2004102081.tif 000011